【事件の表示】
　平成　３年特許願第１１５４３７号「ディスクドライブ装置」拒絶査定に対する審判事件［平成　４年１１月１１日出願公開、特開平　４−３２１９６８］について、次のとおり審決する。
【結　論】
　本件審判の請求は、成り立たない。
【理　由】
１．手続の経緯・本願発明
　本願は、平成３年４月１９日の出願であって、その請求項に係る発明は、平成１１年１２月６日付け及び平成１３年２月２３日の各手続補正書により補正された明細書及び図面の記載からみて、特許請求の範囲に記載された以下のとおりのものと認める。
「記録ディスクの挿入方向に対して垂直な駆動軸を有するスピンドルモータとこのスピンドルモータによって回転駆動されるディスクテーブルと上記スピンドルモータの駆動軸方向に突出され上記ディスクテーブル上に記録ディスクが載置される際にこの記録ディスクを収納してなるディスクカートリッジを位置決め保持する位置決め部材とを有してなる記録ディスクの回転駆動手段と、
　少なくとも上記記録ディスクの挿入方向に対して上記スピンドルモータの両側に配置され、上記スピンドルモータの駆動軸の軸方向に沿って平行に設けられた複数のガイド軸と、
　上記回転駆動手段をシャーシに対して昇降操作するカム機構とを備え、
　上記シャーシ上において、上記カム機構が上記回転駆動手段を上記ガイド軸に沿って上昇させることにより上記位置決め部材によって上記ディスクカートリッジの位置決めを行うとともに上記記録ディスクを上記ディスクテーブル上に載置してなるディスクドライブ装置。」（以下、本願発明という）
　
２．引用刊行物記載の発明
　これに対して、原査定に引用された特開昭６４−８９０６８号公報（以下、「引用刊行物１」という。）には、以下の事項が記載されている。
（１）「キャビネット前面から内奥の装填位置までディスクを水平に挿入したのち、ターンテーブルを垂直上方に上昇させ、前記装填位置に保持されたディスクを前記ターンテーブル上に移載し、かつ逆の経路で前記ターンテーブルを垂直下方に移動させた後、このターンテーブルから離脱されたディスクを前記キャビネット前面に水平の経路で排出させることを特徴とするディスクの装脱方法。」（特許請求の範囲の請求項１）
（２）「この従来の水平ローディング方式は、第２図に示すように、ディスクＤを載せたトレイ２を搬送手段の駆動によりキャビネット１の前面から内奥のディスク装填位置と対応する位置まで移動させ、その位置でトレイ２を搬送手段と共に下降させてその下方に位置するターンテーブル３上へディスクＤを移載し、そのセットを行うようにしている。……しかしながら、上記従来の水平ローディング方式では、ディスクＤを移送するトレイ２を垂直上下に上昇または下降させてターンテーブル３上への装填・取り出しを行うようにしていたので、トレイ２の全体を上下方向に移動させるに必要な大きな移動スペースが必要であった。」（第２頁左上欄第１行目〜右上欄第１２行目）
（３）「第１図は本発明に係るディスクの装脱装置の具体的な構成例を示している。
　キャビネット１０には、トレイ１１が水平前後方向に移動可能に支持されている。」（第３頁左上欄第９〜１２行目）
（４）「一方、キャビネット１０の内奥下部のベース下方には、一対のガイドシャフト２０、２０が垂直に立設されている。ガイドシャフト２０、２０には、スピンドルモータ２１が上下に摺動可能に支持されている。スピンドルモータ２１は、スピンドル軸２１１を垂直上向きにして上下に移動可能に支持されている。　スピンドル軸２１１の上端には、ターンテーブル２２が取付けられている。」（第３頁右上欄第１６行目〜左下欄第３行目）
（５）「スピンドルモータ２１は、駆動モータ２３の駆動により、減速ギア系２４・ピニオン２４２・ラックギア２５１を介してスライド板２５が水平方向に移動されると、レバー２６の回動を介してガイドシャフト２０、２０に沿う上下に移動される。」（第３頁左下欄第１９行目〜右下欄第４行目）
（６）「駆動モータ２３の駆動により、減速ギア系２４、ラック・ピニオン機構２４２、２５１を介してスライド板２５が水平方向の一方にスライドされる。レバー２６は、スプリング２７によってモータ２１を下降させる方向に付勢されており、このスライド板２５のスライド動作によって、スプリングに抗してレバー２６がスピンドルモータ２１およびターンテーブルを上昇させ方向へ回動される。このレバー２６の回動動作によって、スピンドルモータ２１がガイドシャフト２０、２０に沿って上方に持ち上げられる。同時にターンテーブル２２が一体でディスクの位置まで上昇され、この上方に位置するディスクＤがトレイ１１からターンテーブル２２上に受け渡され、載せられる。」（第４頁右上欄第１〜１５行目）
　以上の記載によれば、引用刊行物１には、
　ディスクＤの挿入方向に対して垂直なスピンドル軸２１１を有するスピンドルモータ２１とこのスピンドルモータ２１によって回転駆動されるターンテーブル２２とを有してなるディスクＤの回転駆動手段と、
　少なくとも上記ディスクＤの挿入方向に対して上記スピンドルモータ２１の両側に配置され、上記スピンドルモータのスピンドル軸２１１の軸方向に沿って平行に設けられた複数のガイド軸２０と、
　上記回転駆動手段をベースに対して昇降操作する機構とを備え、
　上記シャーシ上において、レバー２６が上記回転駆動手段を上記ガイドシャフト２０に沿って上昇させることにより上記ディスクＤを上記ターンテーブル２２上に載置してなるディスクプレーヤ。
の発明が記載されている。
　同じく原査定の拒絶の理由に引用された特開平３−８３２６０号公報（以下、「引用刊行物２」という。）には、以下の事項が記載されている。
（７）「所定の装着位置に装着されたディスク状記録媒体を回転する駆動手段と、　前記ディスク状記録媒体の周縁近傍の複数箇所に当接してこれを前記装着位置に位置決めする第１の位置決め手段と、　前記駆動手段近傍の所定の位置において前記ディスク状記録媒体に当接してこれを位置決めする第２の位置決め手段とを備えたことを特徴とするディスク装置。」（特許請求の範囲）
（８）「従来よりカートリッジに収納されたフロッピーディスク上に記録または再生を行なうディスク装置が周知である。そしてこのようなディスクに対して正確且つ高精度に記録再生を行なう際には、その記録再生位置における高精度の位置決めが不可欠である。
　第６図は、従来よりこの種のディスク装置において用いられているディスクカートリッジの位置決め方法を説明するためのもので、同図においてＣはフロッピーディスクＤを回転自在に収納したディスクカートリッジであり、……そしてカートリッジＣの記録再生位置への位置決めは、同図に符号Ｐ１〜Ｐ４で示すように、カートリッジＣの四角の所定の位置をディスク駆動装置側に配された位置決めピン等に圧接することによって行なわれている。」（第１頁左欄第２０行目〜右欄第１９行目）
（９）「第１図は本発明におけるディスク装置の要部の側面図、第２図はその平面図である。
　各図において、１は装置のシャーシベース、２はシャーシベース上に取り付けられたディスク駆動モータである。」（第２頁右上欄第１４〜１８行目）
（１０）「また同図中、１４はシャーシベース１に固定され、ディスクＤを収納したカートリッジＣの周縁部近傍下面に当接してその装着位置を位置決めする第１の位置決め部材、１５は同じくシャーシベース１に固定され、ロータ１０に対向するカートリッジＣの中央部近傍下面に当接してその装着位置を位置決めする第２の位置決め部材である。」（第２頁左下欄第１６行目〜右下欄第３行目）
　
３．対比
　本願発明と引用刊行物１に記載された発明を対比すると、引用刊行物１に記載された「ディスクＤ」，「スピンドル軸２１１」，「ターンテーブル２２」，「ベース」および「ディスクプレーヤ」は、それぞれ本願発明の「記録ディスク」，「駆動軸」，「ディスクテーブル」，「シャーシ」および「ディスクドライブ装置」に相当し、引用刊行物１に記載されたレバー２６を含む部材は、回転駆動手段の昇降動作を行うものである点で、本願発明のカム機構に相当するので両者は、
［一致点］
「記録ディスクの挿入方向に対して垂直な駆動軸を有するスピンドルモータとこのスピンドルモータによって回転駆動されるディスクテーブルとを有してなる記録ディスクの回転駆動手段と、
　少なくとも上記記録ディスクの挿入方向に対して上記スピンドルモータの両側に配置され、上記スピンドルモータの駆動軸の軸方向に沿って平行に設けられた複数のガイド軸と、
　上記回転駆動手段をシャーシに対して昇降操作する機構とを備え、
　上記シャーシ上において、上記昇降操作する機構が上記回転駆動手段を上記ガイド軸に沿って上昇させることにより上記位置決め部材によって上記ディスクカートリッジの位置決めを行うとともに上記記録ディスクを上記ディスクテーブル上に載置してなるディスクドライブ装置。」で一致し、
［相違点］
（ア）本願発明では、「上記スピンドルモータの駆動軸方向に突出され上記ディスクテーブル上に記録ディスクが載置される際にこの記録ディスクを収納してなるディスクカートリッジを位置決め保持する位置決め部材」を有するのに対し、引用刊行物１に記載された発明では、ディスクがディスクカートリッジに収納されておらず、したがって、ディスクカートリッジを位置決め保持する位置決め部材を有していない点、および、
（イ）昇降操作する機構が、引用刊行物１に記載された発明では、水平方向に駆動されるスライド板とレバーとで構成されるのに対し、本願発明では、（請求項に記載された事項ではないが、回転するカムギヤ３７を用いた）カム機構からなる点で相違している。
　
４．相違点に対する判断
（ア）記録ディスクをディスクカートリッジに収納したものを駆動する装置において、ディスクカートリッジの位置決め保持を行う位置決め部材を設ける発明は、上記引用刊行物２に記載されている。
　そして引用刊行物１に記載された発明は、記録ディスクをディスクカートリッジに収納したものにも適用できることが、引用刊行物１の第４頁右下欄第１５〜１９行目に記載されており、引用刊行物２に記載された位置決め部材は、ディスクの回転駆動手段と一体に固定されて、ディスク駆動時のディスクカートリッジの位置を保持するものであるから、引用刊行物１に記載されたような装置において、記録ディスクをディスクカートリッジに収納したものに適用する場合には、位置決め部材も回転駆動手段と一体に上昇・下降駆動すべきことが自明の事項と認められる。
　したがって、引用刊行物１に記載されたような装置において、ディスクカートリッジを用いた記録ディスクに適用する場合に、引用刊行物２に記載されたようにディスクカートリッジの位置決めを行う手段を付加して、本願発明のように、昇降操作機構が上記回転駆動手段を上記ガイド軸に沿って上昇させることにより上記位置決め部材によって上記ディスクカートリッジの位置決めを行う構成とすることは当業者が容易になし得たことと認められる。また、
（イ）回転駆動手段を昇降操作する機構として、回転するカムギヤを用いたカム機構を用いることが、原査定の拒絶の理由に引用された、特開平１−１２４１４８号公報および特開平３−５９５１号公報に記載されているように周知の事項と認められ、かつ、本願発明では、カム機構の構成が特定されているものでもないので、昇降操作機構の上記相違点は、当業者が必要に応じて適宜設計し得る事項と認められる。
　
　なお、請求人は、請求理由において、本願発明は、シャーシとの間で共振ループを形成されることを防止できる旨主張しているが、本願発明においては、カム機構の構成が特定されているわけではないので、この効果は、ディスクテーブル等を備えた回転駆動手段をガイド軸に沿って上昇することによって得られるものであれば、引用刊行物１に記載されたものにおいても同様の効果を奏するはずであり、かつ、本願明細書の段落【００１９】に記載されたように、モータ取り付け板を高い振動吸収性と充分な剛性とを有した材料で形成することにより得られるものであれば、この点は、請求項に記載された事項ではないので、いずれにしても上記請求人の主張は採用できない。
　また、請求人は、請求理由において、本願発明は、ディスクカートリッジの上下方向のローディングを行うための機構を設けることなく、記録ディスクの確実なチャッキングを行うことができる旨の主張をしているが、本願発明と引用刊行物に記載された発明の相違は上記認定の通りであって、ディスクのチャッキングに関する、引用刊行物と相違する格別な構成は認められないので、この点に関する主張も採用できない。
　
５．むすび
　したがって、本願発明は、引用刊行物１，２に記載された発明および上記周知の事項に基づいて当業者が容易に発明をすることができたものであるので、特許法第２９条第２項の規定により特許を受けることができない。
　よって、結論のとおり審決する。